【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
フレームと、
前記フレーム内に支持されるボイスコイルと、
前記ボイスコイルと同心状であり、前記ボイスコイルを介して前記フレームに対して移動可能である磁石と、
前記磁石から延長する第１端部と、前記フレームに開放可能に連結されるアームとを有し、前記磁石の往復動の所望の周波数のため調整可能である複数の撓み部と、を備え、
それぞれの前記撓み部は、前記アーム内のスロットを含み、前記スロットは、前記フレームから支持されるピンを受容し、前記ピンは、前記撓み部の有効長を調整するため前記スロット内に位置決め可能である同調マスダンパー。
【請求項２】
前記磁石に取り付けられ、第１の方向へ移動する際、第１のガイド要素と係合して、前記磁石及び撓み部を時計回り方向に回転させる第１のランプと、
前記磁石に取り付けられ、第２の方向へ移動する際、第２のガイド要素と係合して、前記磁石及び撓み部を反時計回り方向に回転させる第２のランプと、をさらに備える請求項１に記載の同調マスダンパー。
【請求項３】
少なくとも１つの撓み部上のソレノイドにより作動され、前記ソレノイドが第１の状態にある際、前記磁石及び撓み部を回転させ、前記ソレノイドが第２の状態にある際、前記撓み部を固定位置でクランプする少なくとも１つのクランプをさらに備え、
前記同調マスダンパーの周波数が、前記撓み部の前記有効長を変化させることにより調整可能であるよう、前記第１の方向への回転は、前記撓み部の前記有効長を延長し、前記第２の方向への回転は、前記撓み部の前記有効長を短縮する請求項２に記載の同調マスダンパー。
【請求項４】
前記磁石上に配置される少なくとも１つの加速度計をさらに備える請求項３に記載の同調マスダンパー。
【請求項５】
前記少なくとも１つの加速度計からの入力に基づいて、最適周波数レンジを算出する符号化命令を内部に有する制御システムをさらに備え、前記制御システムは、少なくとも１つのソレノイド作動クランプを作動させ、前記ボイスコイルを制御して前記磁石を回転させて、前記撓み部を、前記算出された周波数に対応する有効長に調整するよう構成された、請求項４に記載の同調マスダンパー。
【請求項６】
前記制御システムは、２つ以上の軽度に減衰された共振周波数を含む周波数帯域を分析し、振動効果を最小化する最適周波数及び減衰を決定するよう構成された請求項５に記載の同調マスダンパー。
【請求項７】
前記ボイスコイルと直列し、前記制御システムに応答して、前記同調マスダンパーの減衰を調整する可変抵抗をさらに備える請求項５に記載の同調マスダンパー。
【請求項８】
前記制御システムを前記ボイスコイル及び前記少なくとも１つの加速度計に着脱可能に接続するテザーをさらに備える請求項５に記載の同調マスダンパー。
【請求項９】
前記ソレノイドは、前記第１の状態で起動のため作動され、前記第２の状態で停止され、これにより、前記クランプは、前記ソレノイドの故障状態に関与する請求項３に記載の同調マスダンパー。
【請求項１０】
同調マスダンパー（ＴＭＤ）を操作する方法であって、
少なくとも１つのＴＭＤを構造物に取り付けることであって、前記ＴＭＤは、撓み部により支持される、大きな動的応答が予測される位置におけるホスト構造物への可動マスとしてのボイルコイル及び同心状の磁石を有することと、
屈曲クランプを開放することと、
前記ボイスコイルを使用して、前記ＴＭＤの撓み長を調整し、前記磁石及び関連するランプが軸受ガイドと接触するよう促して、前記磁石及び撓み部を回転させ、前記ＴＭＤの所望の周波数を得ることと、
前記ＴＭＤを操作するため、前記撓み部を再クランプすることと、を含む方法。
【請求項１１】
前記ボイスコイルを使用して、前記撓み長を調整し、前記磁石及びランプが前記軸受ガイドと接触するよう促して、前記ＴＭＤの前記周波数を着目する前記周波数帯域より下に調整することと、
前記撓み部を再クランプすることと、
前記ボイスコイルを加振器として作動することと、
結果として得られる非連結ホスト伝達関数を計測することと、
前記非連結ホスト伝達関数及び所定の同調ロジックを用いて、好適な周波数及び減衰を決定することと、をさらに含む請求項１０に記載の方法。
【請求項１２】
前記ボイスコイルを前記加振器として作動することと、
前記結果として得られる前記加速度計との連結ホスト伝達関数を計測して、前記予測される伝達関数と比較することと、
前記撓み長を調整する前記ステップ、前記ボイスコイルを加振器として作動する前記ステップ、前記結果として得られる前記加速度計との連結ホスト伝達関数を計測して前記ＴＭＤの所望の周波数を得る前記ステップを、収束基準を満たすまで繰り返す、ことと、をさらに含む請求項１１に記載の方法。
【請求項１３】
テザーを前記ＴＭＤに取り付けて、前記ボイスコイル及びソレノイドに給電し、前記ＴＭＤフレーム、磁石及びホスト構造物上に搭載される加速度計から信号を受信することをさらに含む請求項１２に記載の方法。
【請求項１４】
前記ＴＭＤの自律的操作のため、前記ホスト構造物を動的に減衰するために、前記ＴＭＤから前記テザーを除去する、ことをさらに含む、請求項１３に記載の方法。
【請求項１５】
前記ボイスコイルに亘るデジタル的にプログラム可能なアナログ抵抗器上の電圧を変更して所望の減衰を設定することをさらに含む請求項１３に記載の方法。
【請求項１６】
前記少なくとも１つのＴＭＤは、複数のＴＭＤを備え、
前記ボイスコイルを作動させる前記ステップは、前記複数のＴＭＤから選択された１つの前記ボイルコイルを加振器として作動させることを備え、
前記結果として得られる非連結ホスト伝達関数を計測する前記ステップは、前記複数のＴＭＤのそれぞれについて、前記結果として得られる非連結ホスト伝達関数を計測することを備え、
前記屈曲クランプを開放する前記ステップ、前記撓み長を調整する前記ステップ、及び前記屈曲クランプを再クランプする前記ステップは、それぞれのＴＭＤについて実行される、請求項１１に記載の方法。
【請求項１７】
構造減衰システムであって、
高い動的応答が予測される位置を有するホスト構造物と、
少なくとも１つの同調マスダンパー（ＴＭＤ）であって、前記ＴＭＤは、
前記位置にて前記ホスト構造物に搭載されたフレームと、
前記フレーム内に支持されるボイスコイルと、
前記ボイスコイルと同心状であり、前記ボイスコイルを介して前記フレームに対して移動可能である磁石と、
前記磁石に連結される第１端部と、前記フレームに開放可能に連結されるアームとを有し、前記磁石の往復動の所望の周波数のため調整可能である複数の撓み部と、を備える、少なくとも１つの同調マスダンパー（ＴＭＤ）と、
前記ボイスコイルに取り付けられる少なくとも１つの加速度計と、
前記少なくとも１つの加速度計からの入力に基づき最適な周波数レンジを算出する符号化命令を内部に有する制御システムとを備え、前記制御システムは、前記ボイルコイルを制御して前記磁石を回転させ、前記撓み部を前記算出された周波数に対応する有効長に調整するよう構成された、構造減衰システム。
【請求項１８】
前記制御システムは、２つ以上の軽度に減衰された共振周波数を含む周波数帯域を分析し、振動効果を最小化する最適周波数及び減衰を決定するよう構成された請求項１７に記載の構造減衰システム。
【請求項１９】
それぞれの撓み部は、前記アーム内のスロットを含み、前記スロットは、前記フレームから支持されるピンを受容し、前記ピンは、前記撓み部の有効長を調整するため前記スロット内に位置決め可能であり、さらに、
前記磁石に取り付けられ、第１の方向に移動する際、第１のガイド要素と係合して前記磁石及び撓み部を時計回り方向に回転させる第１のランプと、
前記磁石に取り付けられ、第２の方向に移動する際、第２のガイド要素と係合して前記磁石及び撓み部を反時計回り方向に回転させる第２のランプと、
少なくとも１つの撓み部上のソレノイドにより作動され、前記ソレノイドが第１の状態にある際、前記磁石及び撓み部を回転させ、前記ソレノイドが第２の状態にある際、前記撓み部を固定位置でクランプするよう構成された少なくとも１つのクランプと、を備え、
前記同調マスダンパーの周波数が、前記撓み部の前記有効長を変化させることにより調整可能であるよう、前記第１の方向への回転は、前記撓み部の前記有効長を延長し、前記第２の方向への回転は、前記撓み部の前記有効長を短縮する、請求項１７に記載の構造減衰システム。
【請求項２０】
前記少なくとも１つのＴＭＤは、複数のＴＭＤを備える、請求項１７に記載の構造減衰システム。